(57)【要約】【課題】テレビジョンチューナの入力回路において、それぞれの受信帯域にとって適切なゲインリダクション量を実現できると共に、回路規模を小型化すること。【解決手段】テレビジョンチューナの入力回路２０において、ＶＨＦ帯の信号を受信する第１の高周波回路１３、４１、５１，５２と、ＵＨＦ帯の信号を受信する第２の高周波回路１４、４２、５３，５４と、第１の高周波回路に設けられ、第１のＡＧＣ電圧で利得が制御されるＶＨＦ側アンプ４１と、第２の高周波回路に設けられ、第２のＡＧＣ電圧で利得が制御されるＵＨＦ側アンプ４２と、第１の高周波回路の入力端子Ｔ１と第２の高周波回路の一端との間に設けられ、ゲート１電圧がベースに印加されるＮＰＮ型トランジスタ２３とを具備する。【選択図】図１
2010114561.tif 000002
【特許請求の範囲】
【請求項１】
入力端子に第１の帯域及び第２の帯域を含んだ高周波受信信号が印加され、この高周波受信信号から前記第１の帯域の信号を受信する第１の高周波回路と、
一端が前記入力端子に接続され、前記高周波受信信号から前記第２の帯域の信号を受信する第２の高周波回路と、
前記第１の高周波回路に設けられ、第１のＡＧＣ電圧で利得が制御される第１のＡＧＣ増幅回路と、
前記第２の高周波回路に設けられ、第２のＡＧＣ電圧で利得が制御される第２のＡＧＣ増幅回路と、
前記入力端子と前記第２の高周波回路の一端との間に設けられ、第３のＡＧＣ電圧で利得が制御されるＮＰＮ型トランジスタを有する第３のＡＧＣ増幅回路と、
を具備したことを特徴とする受信回路。
【請求項２】
前記第３のＡＧＣ増幅回路は、前記ＮＰＮ型トランジスタのコレクタが前記第２の高周波回路の一端に接続され、前記ＮＰＮ型トランジスタのベースが前記入力端子に接続され、前記第３のＡＧＣ電圧が前記ベースに印加されるように構成され、
前記第１の高周波回路で前記第１の帯域の信号を受信する場合、前記第３のＡＧＣ電圧によって前記ＮＰＮ型トランジスタがオフすることを特徴とする請求項１記載の受信回路。
【請求項３】
前記第２のＡＧＣ増幅回路は、前記第２のＡＧＣ電圧に基づいて当該第２のＡＧＣ電圧とは逆方向に変化する第３のＡＧＣ電圧を生成することを特徴とする請求項１又は請求項２記載の受信回路。
【請求項４】
前記第２のＡＧＣ回路が、前記第２のＡＧＣ電圧が低下することによって利得が下がるリバースＡＧＣ回路で構成され、
前記第３のＡＧＣ回路が、前記第３のＡＧＣ電圧が低下することによって利得が上がるフォワードＡＧＣ回路で構成されていることを特徴とする請求項３記載の受信回路。
【請求項５】
前記第１の高周波回路は、ＶＨＦ帯を第１の帯域として受信するＶＨＦ帯受信用回路で構成され、
前記第２の高周波回路は、ＵＨＦ帯を第２の帯域として受信するＵＨＦ帯受信用回路で構成されていることを特徴とする請求項１から請求項４のいずれかに記載の受信回路。
【発明の詳細な説明】
【技術分野】
【０００１】
本発明は、複数の放送帯域（バンド）を含んだ高周波受信信号をバンド別に受信する受信回路に関する。
【背景技術】
【０００２】
従来、テレビジョン信号のＶＨＦ帯／ＵＨＦ帯を別々の高周波回路に振り分けて受信するテレビジョンチューナの入力回路がある（例えば、特許文献１参照）。
【０００３】
図７はＶＨＦ帯とＵＨＦ帯とを別々の高周波回路に振り分けて受信するテレビジョンチューナの入力回路の構成図である。アンテナフィルタ１０に接続された入力端に対して、ＬＮＡ（ローノイズアンプ）１１及び可変アッテネータ回路１２を介して、ＶＨＦ用アンテナ入力回路１３とＵＨＦ用アンテナ入力回路１４とが並列に接続されている。ＶＨＦ用アンテナ入力回路１３及びＵＨＦ用アンテナ入力回路１４の出力段に、デュアルゲートＦＥＴ（電界効果トランジスタ）で構成されたＡＧＣ回路１５が接続されている。なお、ＶＨＦ用アンテナ入力回路１３側にはＶＨＦ  ＲＦ複同調回路及び混合器が接続され、ＵＨＦ用アンテナ入力回路１４側にはＵＨＦ  ＲＦ複同調回路及び混合器が接続される。
【０００４】
ＵＨＦ用アンテナ入力回路１４の入力段にはダイオードＤ１が接続されている。ダイオードＤ１のアノードには直流電圧（＋５Ｖ）が印加されており、ダイオードＤ１のカソードに対して抵抗１６を介して印加するバンド選択信号に応じて、ダイオードＤ１がＯＮ／ＯＦＦ制御される。ダイオードＤ１がＯＮした場合は、ＵＨＦ用アンテナ入力回路１４が選択され、ダイオードＤ１がＯＦＦした場合はＶＨＦ用アンテナ入力回路１３が選択される。
【０００５】
上記テレビジョンチューナの入力回路は、高周波信号の信号レベルが高い場合には、ＡＧＣ回路１５のゲート２に印加するＡＧＣ電圧を０Ｖ付近まで下げてマイナスゲインとし、ＡＧＣ回路１５を減衰器として作用させる。
【０００６】
ＡＧＣ回路１５をＦＥＴで構成することで減衰器としても作用させることが可能であるが、ＵＨＦ帯受信時にはＦＥＴ周囲からＶＨＦ用アンテナ入力回路１３への帰還量（回り込み）が多くなるので、ＡＧＣ回路１５のＦＥＴだけでは十分なゲインリダクションを実現できない。そのため、ＡＧＣ回路１５だけでは不足するゲインリダクション量を補うために、ＰＩＮダイオードを組み合わせて構成された可変アッテネータ回路１２を、ＶＨＦ用アンテナ入力回路１３及びＵＨＦ用アンテナ入力回路１４の入力段に設けていた。
【特許文献１】特開２００１−３２０６４７号公報
【発明の開示】
【発明が解決しようとする課題】
【０００７】
しかしながら、従来のテレビジョンチューナの入力回路は、可変アッテネータ回路１２がＶＨＦ用アンテナ入力回路１３よりも前段に設置されているので、可変アッテネータ回路１２で周波数全帯域を減衰させるため、ＡＧＣ回路１５だけでゲインリダクションが十分な周波数帯（ＶＨＦ帯）では、逆にゲインリダクション量が大きくなり過ぎる（約８０ｄＢ）こととなり、ＡＧＣ回路１５のレンジを十分に活用できないといった問題があった。
【０００８】
また、可変アッテネータ回路１２を備えることで回路規模が大きくなり、コストアップになるといった問題もあった。
【０００９】
本発明は、かかる点に鑑みてなされたものであり、それぞれの受信帯域にとって適切なゲインリダクション量を実現できると共に、回路規模を小型化できる受信回路を提供することを目的とする。
【課題を解決するための手段】
【００１０】
本発明の受信回路は、入力端子に第１の帯域及び第２の帯域を含んだ高周波受信信号が印加され、この高周波受信信号から前記第１の帯域の信号を受信する第１の高周波回路と、一端が前記入力端子に接続され、前記高周波受信信号から前記第２の帯域の信号を受信する第２の高周波回路と、前記第１の高周波回路に設けられ、第１のＡＧＣ電圧で利得が制御される第１のＡＧＣ増幅回路と、前記第２の高周波回路に設けられ、第２のＡＧＣ電圧で利得が制御される第２のＡＧＣ増幅回路と、前記入力端子と前記第２の高周波回路の一端との間に設けられ、第３のＡＧＣ電圧で利得が制御されるＮＰＮ型トランジスタを有する第３のＡＧＣ増幅回路とを具備したことを特徴とする。
【００１１】
この構成によれば、第１の高周波回路で受信する第１の帯域の信号を減衰させることなく、第２のＡＧＣ増幅回路で不足するゲインリダクション量を第３のＡＧＣ増幅回路において補うことができる。また、第３のＡＧＣ電圧で利得が制御されるＮＰＮ型トランジスタを有する第３のＡＧＣ増幅回路でゲインリダクションするので、ＰＩＮダイオードを組み合わせて構成された可変アッテネータ回路に比べて回路規模を小さくすることができる。
【００１２】
また、本発明は、上記受信回路において、前記第３のＡＧＣ増幅回路は、前記ＮＰＮ型トランジスタのコレクタが前記第２の高周波回路の一端に接続され、前記ＮＰＮ型トランジスタのベースが前記入力端子に接続され、前記第３のＡＧＣ電圧が前記ベースに印加されるように構成され、前記第１の高周波回路で前記第１の帯域の信号を受信する場合、前記第３のＡＧＣ電圧によって前記ＮＰＮ型トランジスタがオフするように構成することができる。
【００１３】
この構成により、第１の帯域受信時には、第３のＡＧＣ増幅回路のＮＰＮ型トランジスタがオフしてベース−コレクタ間が開放状態となるので、第２の高周波回路の一端を第１の高周波回路の入力端子から切り離すことができ、ダイオード等のスイッチング素子を別途設ける必要がなく、部品点数の削減を図ることができる。
【００１４】
本発明は、上記受信回路において、前記第２のＡＧＣ増幅回路は、前記第２のＡＧＣ電圧に基づいて当該第２のＡＧＣ電圧とは逆方向に変化する第３のＡＧＣ電圧を生成することを特徴とする。
【００１５】
この構成により、第２のＡＧＣ電圧に基づいて当該第２のＡＧＣ電圧とは逆方向に変化する第３のＡＧＣ電圧を生成して第３のＡＧＣ増幅回路のＮＰＮ型トランジスタのベースに印加されるので、入力信号が大きい場合には第２及び第３のＡＧＣ増幅回路のゲインを共に小さくでき、入力信号が小さい場合には第２及び第３のＡＧＣ増幅回路のゲインを共に高くすることができる。
【００１６】
上記受信回路において、前記第２のＡＧＣ回路が、前記第２のＡＧＣ電圧が低下することによって利得が下がるリバースＡＧＣ回路で構成され、前記第３のＡＧＣ回路が、前記第３のＡＧＣ電圧が低下することによって利得が上がるフォワードＡＧＣ回路で構成されるようにしても良い。
【００１７】
上記受信回路において、前記第１の高周波回路は、ＶＨＦ帯を第１の帯域として受信するＶＨＦ帯受信用回路で構成され、前記第２の高周波回路は、ＵＨＦ帯を第２の帯域として受信するＵＨＦ帯受信用回路で構成されるようにしても良い。
【発明の効果】
【００１８】
本発明によれば、それぞれの受信帯域にとって適切なゲインリダクション量を実現できると共に、回路規模を小型化できる受信回路を提供することができる。
【発明を実施するための最良の形態】
【００１９】
以下、本発明の実施の形態について添付図面を参照して詳細に説明する。
本発明の一実施の形態は、テレビジョン信号のＶＨＦ帯／ＵＨＦ帯を別々の高周波回路に振り分けて受信する受信回路である。
図１は本発明の一実施の形態に係る受信回路におけるテレビジョンチューナの入力回路の構成図である。このテレビジョンチューナの入力回路２０は、不図示のアンテナ素子で受信しアンテナフィルタ１０を通過した信号がＬＮＡ１１で増幅されてから取り込まれる。ＬＮＡ１１の出力端子に対してＶＨＦ用アンテナ入力回路１３とＵＨＦ用アンテナ入力回路１４とが並列に接続されている。ＶＨＦ用アンテナ入力回路１３及びＵＨＦ用アンテナ入力回路１４の出力信号はＡＧＣ回路１５で入力信号レベルに応じて出力が一定となるようにゲインコントロールされて後段回路ヘと出力される。ＡＧＣ回路１５は、後述するデュアルゲートＦＥＴで構成されている。ゲート１に印加されるゲインコントロール信号（ＡＧＣ電圧）によってゲート２の電圧を制御する。
【００２０】
ＵＨＦ用アンテナ入力回路１４の入力段に、第３のＡＧＣ回路となるＡＧＣ回路２１が接続されている。ＡＧＣ回路２１は、ＮＰＮ型トランジスタで構成され、ベース−エミッタ間の電位差により利得が変化するトランジスタ２３を有する。トランジスタ２３は、コレクタがＵＨＦ用アンテナ入力回路１４の入力端に接続されると共に、インダクタ２４を介して電圧（５Ｖ）が印加される。また、トランジスタ２３は、ベースがコンデンサ２２の一方の端子に接続されると共に、ＡＧＣ回路１５を構成するＦＥＴのゲート１が抵抗２７、２８を直列に介して直流的に接続されている。第３のＡＧＣ電圧となるゲート１電圧が、抵抗２７及び２８と抵抗２９とで分圧され、トランジスタ２３のベースに印加される。トランジスタ２３のエミッタは、抵抗３１を介して直流的に接地されると共に、コンデンサ３２を介して高周波的に接地されている。なお、トランジスタ２３のコレクタは抵抗３３及びコンデンサ３４を介して抵抗２７，２８の接続点に接続されている。ＡＧＣ回路２１は、入力端子がコンデンサ２２を介してＬＮＡ１１の出力端子に接続されている。
【００２１】
図２は、デュアルゲートＦＥＴで構成されたＡＧＣ回路１５及びＡＧＣ回路１５の前段に接続されるＶＨＦ用アンテナ入力回路１３及びＵＨＦ用アンテナ入力回路１４、ＡＧＣ回路１５の後段に接続される後段回路の構成を示している。
【００２２】
ＡＧＣ回路１５は、ＶＨＦ用アンテナ入力回路１３の出力端子に接続された第１のＡＧＣ回路となるＶＨＦ側ＡＧＣアンプ４１と、ＵＨＦ用アンテナ入力回路１４の出力端子に接続された第２のＡＧＣ回路となるＵＨＦ側ＡＧＣアンプ４２と、ＡＧＣアンプ４１とＡＧＣアンプ４２とを切り替えるトランジスタＴｒｓ１とを備えている。ＡＧＣアンプ４１、４２はデュアルゲートＦＥＴで構成されており、それぞれのゲート２に印加される電圧が第１及び第２のＡＧＣ電圧となる。ＡＧＣアンプ４２はゲート２電圧が低下することによって利得が下がるリバースＡＧＣ回路で構成される。
【００２３】
トランジスタＴｒｓ１のＯＮ／ＯＦＦは切替スイッチ４４で行っている。トランジスタＴｒｓ１のベースは、ＵＨＦ側ＡＧＣアンプ４２の入力端子（ゲート１）に接続されると共に、抵抗Ｒ４，Ｒ３を直列に介して切替スイッチ４４の出力端子に接続される。切替スイッチ４４において、ＶＨＦ側の端子４４ａを選択すると、トランジスタＴｒｓ１のベースが接地されてトランジスタＴｒｓ１がＯＦＦすると共に、ＵＨＦ側ＡＧＣアンプ４２の入力端子が接地される。その結果、ＶＨＦ側ＡＧＣアンプ４１の出力電圧が抵抗４５及び抵抗Ｒ０を直列に介して入力端子に印加されて増幅作用する。また、切替スイッチ４４において、ＵＨＦ側の端子４４ｂを選択すると、トランジスタＴｒｓ１のベースに電圧が印加されてトランジスタＴｒｓ１がＯＮするので、ＶＨＦ側のＡＧＣアンプ４１の入力端子はトランジスタＴｒｓ１のコレクタ−エミッタ間を介して接地されてゼロバイアスになるので信号増幅の機能を果たさなくなる。
【００２４】
ＶＨＦ側ＡＧＣアンプ４１の出力端には、ＶＨＦ  ＲＦ複同調回路５１及び混合器５２が接続され、ＵＨＦ側ＡＧＣアンプ４２の出力端には、ＵＨＦ  ＲＦ複同調回路５３及び混合器５４が接続されている。
【００２５】
ＶＨＦ用アンテナ入力回路１３は、第１の帯域となるＶＨＦ帯を受信するアンテナ同調回路６１と、ＶＨＦハイバンド／ＶＨＦローバンドを切り替える切替スイッチ６２とを有する。アンテナ同調回路６１は、入力端子Ｔ１に対してインダクタ６３が並列に接続されており、当該インダクタ６３はダイオード６４を順方向に介してコンデンサ６５で高周波的に接地されている。ダイオード６４に対してコンデンサ６６が並列接続されていて、当該コンデンサ６６とダイオード６４のカソードとの接続点が抵抗６７を介して切替スイッチ６２の出力端子に接続されている。また、入力端子Ｔ１に対して、インダクタ６８及び６９からなる直列回路が並列に接続されている。インダクタ６９の接地側端部がコンデンサ７１にて高周波的に接地されると共に抵抗７２を介して接地されている。インダクタ６８は、インダクタ７３、ダイオードＤ２及びコンデンサ７４と共に閉回路を形成可能に構成されている。ダイオードＤ２のカソードは、抵抗７５を介して切替スイッチ６２の出力端子に接続され、ダイオードＤ２のアノードには、抵抗７６、インダクタ６９、６８、７３を経由してＤＣ電圧（＋Ｂ）が印加される。
【００２６】
ダイオードＤ２のアノードとインダクタ７３の一端との接続点は直流カット用のコンデンサ７７を介してインダクタ７８の一端に接続される。インダクタ７８の他端にはバラクタダイオード７９，８１のカソードが接続されている。一方のバラクタダイオード７９のカソードは接地されており、他方のバラクタダイオード８１のアノードは抵抗８２を介して接地されると共に直流カット用のコンデンサ８３を介してＶＨＦ側のＡＧＣアンプ４１の入力端子（ゲート１）に接続されている。バラクタダイオード７９，８１のカソードにはチューニング電圧Ｔｕを印加可能に構成されている。また、入力端子Ｔ１とＶＨＦ側のＡＧＣアンプ４１の入力端子との間にはコンデンサ８４が並列に接続されている。
【００２７】
切替スイッチ６２において、ＶＨＦハイバンド側の端子６２ａが選択された場合、ダイオードＤ２及び６４がＯＮしてカソードが接地され、ＶＨＦローバンド側の端子６２ｂが選択された場合、ダイオードＤ２及び６４がＯＦＦ状態となる。このように、ダイオードＤ２及び６４のＯＮ／ＯＦＦを切り替えることで、グラウンドとの間に投入されるインダクタ６３、６８、６９を切り替えることができ、ＶＨＦハイバンド／ＶＨＦローバンドを切り替えている。また、バラクタダイオード７９，８１に印加するチューニング電圧Ｔｕを制御することで、ＶＨＦハイバンドまたはＶＨＦローバンドにおける同調周波数を可変させることができる。
【００２８】
ＵＨＦ用アンテナ入力回路１４は、ＵＨＦ帯に同調するアンテナ同調回路９１を備える。アンテナ同調回路９１は、直流カット用のコンデンサ２２を介して入力端子Ｔ１に接続されている。コンデンサ２２の一端に対してインダクタ９３の一端が接続され、インダクタ９３の他端とグラウンドとの間にインダクタ９４が接続されている。また、インダクタ９３の他端に対してバラクタダイオード９５のアノードが接続され、バラクタダイオード９５のカソードにバラクタダイオード９６のカソードが接続されている。バラクタダイオード９６のアノードはコンデンサ９７で高周波的に接地されると共に抵抗９８で直流的に接地されている。バラクタダイオード９５、９６のカソードには抵抗９９を介してチューニング電圧Ｔｕが印加されるように構成されている。アンテナ同調回路９１の出力端は直流カット用のコンデンサ１０１を介してＵＨＦ側のＡＧＣアンプ４２の入力端子（ゲート１）に接続されている。ＵＨＦ用アンテナ入力回路１４の入出力端間にはコンデンサ１０２が並列に接続されている。
【００２９】
ＵＨＦ帯とＶＨＦ帯とを切り替える切替スイッチ４４の出力端子は、バイアス用の抵抗Ｒ３、抵抗Ｒ４を経由してＵＨＦ側のＡＧＣアンプ４２の入力端子（ゲート１）に接続されている。
【００３０】
以上のように、ＶＨＦ用アンテナ入力回路１３、ＶＨＦ側ＡＧＣアンプ４１、ＶＨＦ  ＲＦ複同調回路５１及び混合器５２等から第１の帯域となるＶＨＦ帯を受信する第１の高周波回路を構成し、ＵＨＦ用アンテナ入力回路１４、ＵＨＦ側ＡＧＣアンプ４２、ＵＨＦ  ＲＦ複同調回路５３及び混合器５４等から第２の帯域となるＵＨＦ帯を受信する第２の高周波回路を構成する。
【００３１】
次に、以上のように構成された本実施の形態の動作について説明する。
ＶＨＦ帯受信時は、切替スイッチ４４においてＶＨＦ側の端子４４ａが選択される。これにより、ＵＨＦ側ＡＧＣアンプ４２の入力端子がＶＨＦ側の端子４４ｂを介して接地されるので、ＵＨＦ側ＡＧＣアンプ４２がＤＣバイアス的にはゼロバイアスとなり、信号増幅機能を果たさなくなる。また、トランジスタＴｒｓ１のベースが、抵抗Ｒ５、Ｒ４、Ｒ３及び接点４４ａを経由して接地されるので、トランジスタＴｒｓ１のコレクタ−エミッタ間は非導通となる。これにより、ＶＨＦ側ＡＧＣアンプ４１の入力端子が接地されなくなるので、信号増幅機能を果たすようになる。
【００３２】
このとき、ＵＨＦ側ＡＧＣアンプ４２のゲート１は、抵抗Ｒ４、Ｒ３及び接点４４ａを経由して接地されるので、ゲート１電圧が０Ｖとなる。これにより、トランジスタ２３のベース−コレクタ間が開放状態となるので、ＵＨＦ用アンテナ入力回路１４が開放状態となり入力端子Ｔ１から電気的に切り離される。
【００３３】
このように、ＡＧＣ回路の増幅素子であるトランジスタ２３のＯＮ／ＯＦＦでＵＨＦ用アンテナ入力回路１４を接離できるので、別途にスイッチングダイオードを設ける必要がなくなる。
【００３４】
ＵＨＦ帯受信時は、切替スイッチ４４においてＵＨＦ側の端子４４ｂが選択される。ＵＨＦ帯受信時は、ＵＨＦ側の端子４４ｂに印加されているＤＣ電圧（正側）が、抵抗Ｒ３，Ｒ４を経由してトランジスタＴｒｓ１のベースに印加される。これにより、トランジスタＴｒｓ１のコレクタ−エミッタ間が導通するので、ＶＨＦ側ＡＧＣアンプ４１の入力端子（ゲート１）が抵抗Ｒ０を介して接地される。ＡＧＣアンプ４１はＤＣバイアス的にはゼロバイアスになるので信号増幅機能は果たさなくなる。
【００３５】
ところで、ＡＧＣ回路１５のゲート２に印加されるＡＧＣ電圧は、入力信号レベルが大きくなるのに応じて漸次小さくなり、逆に入力信号レベルが小さくなるのに応じて漸次大きくなるように制御される。
【００３６】
本実施の形態では、ＵＨＦ側ＡＧＣアンプ４２は、ゲート２に印加されるＡＧＣ電圧によってゲート１の電圧が制御され、ゲート２電圧（ＡＧＣ電圧）が低下することによって利得が下がるリバースＡＧＣ回路として動作する。
【００３７】
図３にＡＧＣアンプ４２におけるゲート２電圧（ＡＧＣ電圧）とゲート１電圧との関係を示す。ゲート２電圧（ＡＧＣ電圧）が減少するのに応じて（ＦＥＴのゲイン減少）、ゲート１電圧が大きくなる。このように変化するゲート１電圧を、フォワードＡＧＣとしてトランジスタ２３のベースに印加している。
【００３８】
図４はトランジスタ２３のゲイン特性とコレクタ電流Ｉｃとの関係を示す特性図である。同図に示すように、ベース電圧（ＶＢ）が高くなるのに応じてコレクタ電流Ｉｃが増大し、コレクタ電流Ｉｃの増大に応じて利得が低下する（ゲインリダクション（Ｇ．Ｒ）が増大）特性を有している。
【００３９】
したがって、ＵＨＦ側ＡＧＣアンプ４２のゲート１電圧を第３のＡＧＣ電圧としてトランジスタ２３のベースに印加することで、ＵＨＦ側ＡＧＣアンプ４２のゲート２電圧（ＡＧＣ電圧）が小さくなると、トランジスタ２３のコレクタ電流Ｉｃを多く流してゲインリダクション量が大きくなり、ＡＧＣアンプ４２だけでは不足するゲインリダクション量をトランジスタ２３で確保できる。また、ＵＨＦ側ＡＧＣアンプ４２のゲート２電圧（ＡＧＣ電圧）が大きくなると、トランジスタ２３のコレクタ電流Ｉｃを減少させてゲインリダクション量が小さくなり、ゲインリダクション量が過大とならないように調整される。
【００４０】
図６は、上記したＵＨＦ受信時、ＶＨＦ受信時におけるＵＨＦ側ＡＧＣアンプ４２のゲート１電圧、ゲート２電圧、トランジスタ２３のゲイン、ＵＨＦ側ＡＧＣアンプ４２のゲインの関係を表した図である。なお、ＶＨＦ帯受信時は、上記した通りトランジスタ２３はＯＦＦ状態となる。
【００４１】
図５はＦＥＴからなるＡＧＣアンプ４２とトランジスタ２３を組み合わせた場合のゲインリダクション特性を示す図である。同図に示すように、ＦＥＴ単体では約５０ｄＢ程度であったリダクション量に対して、トランジスタ２３を組み合わせることで約６５ｄＢまでリダクション量を確保できている。
【００４２】
このように本実施の形態によれば、ＵＨＦ用アンテナ入力回路１４の入力段に、ＮＰＮ型のトランジスタ２３で構成されるＡＧＣ回路２１を設け、ＵＨＦ側ＡＧＣアンプ４２のゲート１電圧をトランジスタ２３のベースに印加してフォワードＡＧＣをかけるようにしたので、ＵＨＦ受信時の入力信号が大きい場合には、ＡＧＣ回路２１及びＵＨＦ側ＡＧＣアンプ４２の双方で十分なゲインリダクション量を確保でき、入力信号が小さい場合には、ＡＧＣ回路２１でのゲインリダクション量を小さくして、ＵＨＦ側ＡＧＣアンプ４２と共に適正なゲインを実現できる。
【００４３】
また、ＶＨＦ用アンテナ入力回路１３の入力端子Ｔ１とＵＨＦ用アンテナ入力回路１４の入力端子との間を、ＶＨＦ受信時に開放状態となるトランジスタ２３のベース−コレクタ間を介して接続したので、ＶＨＦ／ＵＨＦ帯受信で切り替えるスイッチング素子を別途設ける必要がなくなり、部品点数の削減を図ることができる。
【００４４】
なお、以上の説明では、ＶＨＦ用アンテナ入力回路１３及びＵＨＦ用アンテナ入力回路１４の前段にＬＮＡ１１を設置しているが、本発明では必ずしもＬＮＡ１１は必要ではない。
【００４５】
また、以上の説明では、テレビジョンチューナの入力回路を例に説明したが、ラジオ放送信号等のその他の無線放送信号の受信回路にも同様に適用可能である。
【産業上の利用可能性】
【００４６】
本発明は、テレビジョンチューナの入力回路に適用可能である。
【図面の簡単な説明】
【００４７】
【図１】一実施の形態に係る受信回路におけるテレビジョンチューナの入力回路の構成図
【図２】図１に示すＡＧＣ回路及びその前後回路まで含めた回路構成図
【図３】図１に示すＡＧＣ回路におけるゲート２電圧とゲート１電圧との関係を示す図
【図４】トランジスタのゲイン特性とコレクタ電流Ｉｃとの関係を示す特性図
【図５】ＦＥＴとトランジスタを組み合わせた場合のゲインリダクション特性を示す図
【図６】ＵＨＦ／ＶＨＦ受信時におけるＵＨＦ側ＡＧＣアンプのゲート１電圧、ゲート２電圧、トランジスタ／ＵＨＦ側ＡＧＣアンプのゲインの関係を表す図
【図７】ＶＨＦ帯とＵＨＦ帯とを受信するテレビジョンチューナの入力回路の構成図
【符号の説明】
【００４８】
１０…アンテナフィルタ
１１…ＬＮＡ（ローノイズアンプ）
１２…可変アッテネータ回路
１３…ＶＨＦ用アンテナ入力回路
１４…ＵＨＦ用アンテナ入力回路
１５…ＡＧＣ回路（第１及び第２のＡＧＣ回路）
２０…テレビジョンチューナの入力回路
２１…ＡＧＣ回路（第３のＡＧＣ回路）
２２…コンデンサ
２３…トランジスタ
４１…ＶＨＦ側ＡＧＣアンプ
４２…ＵＨＦ側ＡＧＣアンプ
【図１】
2010114561.tif 000003
【図２】
2010114561.tif 000004
【図３】
2010114561.tif 000005
【図４】
2010114561.tif 000006
【図５】
2010114561.tif 000007
【図６】
2010114561.tif 000008
【図７】
2010114561.tif 000009